(57)【要約】      （修正有）【課題】接続先の通信端末の電話番号を把握していない場合においても、簡便に接続先の通信端末の電話番号を取得し、相互に接続させる。【解決手段】電話番号に基づき通信する通信機能を備えた通信端末と、該通信端末の位置情報を管理する情報管理装置とを有する通信システムであって、通信端末は、通信回線に接続されている通信端末の位置情報を情報管理装置から取得する位置情報取得手段と、位置情報に基づき、通信端末の位置が表示され、通信端末の中から通信先を指定可能な画面を生成する画面生成手段と、指定された通信端末の電話番号を情報管理装置から取得する電話番号取得手段と、指定された通信端末と接続する接続手段とを有し、情報管理装置は、通信端末の位置情報に対応付けて電話番号を記憶する記憶手段と、指定された通信端末の電話番号の取得要求に基づき、該通信端末の電話番号を、取得要求をした通信端末に送信する電話番号送信手段とを有する。【選択図】図１
2014060572.tif 000002
【特許請求の範囲】
【請求項１】
電話番号に基づき通信する通信機能を備えた通信端末と、該通信端末の位置情報を管理する情報管理装置とを有する通信システムであって、
前記通信端末は、
通信回線に接続されている通信端末の位置情報を前記情報管理装置から取得する位置情報取得手段と、
前記位置情報に基づき、前記通信端末の位置が表示され、前記通信端末の中から通信先を指定可能な画面を生成する画面生成手段と、
前記画面に基づき指定された通信端末の電話番号を前記情報管理装置から取得する電話番号取得手段と、
前記画面に基づき指定された前記通信端末と接続する接続手段とを有し、
前記情報管理装置は、
前記通信端末の位置情報に対応付けて電話番号を記憶する記憶手段と、
前記通信端末からの前記指定された通信端末の電話番号の取得要求に基づき、該通信端末の電話番号を、前記取得要求をした通信端末に送信する電話番号送信手段とを有する通信システム。
【請求項２】
前記記憶手段は、前記通信端末の位置情報に対応付けて、該通信端末の位置する場所の地図情報を記憶し、
前記位置情報取得手段は、通信回線に接続されている通信端末の位置する場所の前記地図情報を取得し、
前記画面生成手段は、前記位置情報取得手段により取得された前記位置情報と前記地図情報とに基づき、該地図情報に前記通信端末の位置が表示された画面を生成する請求項１記載の通信システム。
【請求項３】
前記記憶手段は、前記通信端末が通信回線に接続された場合、該通信端末に対応する電話番号が登録され、前記通信端末が通信回線から切断された場合、該通信端末に対応付けられた電話番号が削除される請求項２記載の通信システム。
【請求項４】
前記情報管理装置は、
位置情報と、該位置情報に予め割り当てられた電話番号とを対応付けて記憶する電話番号情報管理テーブルを有する請求項１乃至３記載の通信システム。
【請求項５】
通信端末の位置情報及び該位置情報に対応付けられた電話番号を管理する情報管理装置と通信する通信端末であって、
通信回線に接続されている通信端末の位置情報を前記情報管理装置から取得する位置情報取得手段と、
前記位置情報に基づき、前記通信端末の位置が表示され、前記通信端末の中から通信先を指定可能な画面を生成する画面生成手段と、
前記画面に基づき指定された通信端末の電話番号を前記情報管理装置から取得する電話番号取得手段と、
前記画面に基づき指定された通信端末と接続する接続手段とを有する通信端末。
【請求項６】
前記指定された通信端末の電話番号を前記情報管理装置から取得する電話番号取得手段を有し、
前記接続手段は、前記電話番号取得手段が取得した前記電話番号に基づき、前記指定された通信端末と自機とを接続する請求項５記載の通信端末。
【請求項７】
電話番号に基づき通信する通信機能を備えた通信端末の位置情報を管理する情報管理装置であって、
前記通信端末の位置情報に対応付けて電話番号を記憶する記憶手段と、
前記通信端末からの要求に基づき、通信回線に接続されている前記通信端末の位置情報を、前記要求をした前記通信端末に送信する位置情報送信手段と、
前記通信端末からの要求に指定された通信端末の電話番号を、前記要求をした通信端末に送信する電話番号送信手段とを有する情報管理装置。
【請求項８】
電話番号に基づき通信する通信機能を備えた通信端末において実行されるプログラムであって、
通信回線に接続されている通信端末の位置情報を前記情報管理装置から取得する位置情報取得手段、
前記位置情報に基づき、前記通信端末の位置が表示され、前記通信端末の中から通信先を指定可能な画面を生成する画面生成手段、
前記画面に基づき指定された通信端末の電話番号を前記情報管理装置から取得する電話番号取得手段、
前記画面に基づき指定された通信端末と接続する接続手段として機能させるプログラム。
【請求項９】
前記位置情報取得手段は、通信回線に接続されている通信端末の位置する場所の前記地図情報を取得し、
前記画面生成手段は、前記位置情報取得手段により取得された前記位置情報と前記地図情報とに基づき、該地図情報に前記通信端末の位置が表示された画面を生成する請求項８記載のプログラム。
【発明の詳細な説明】
【技術分野】
【０００１】
本発明は、通信システム、通信端末、情報管理装置及びプログラムに関する。
【背景技術】
【０００２】
電話会議システムやテレビ会議システム等の遠隔会議システムは、１対１又は三地点以上の多地点接続において行われる。このような多地点接続を実現する電話会議システムに接続するためには、一般に会議主催者から会議参加者のそれぞれの電話番号に対して呼び出しを行うか、又はそれぞれの会議参加者から会議主催者の電話番号に対して発信を行う手順が必要である。いずれの手順にせよ、電話会議の開始前に、会議主催者を含む会議参加者の用いる電話番号を相手に伝えておかなければならない。
【０００３】
一方、特許文献１には、無線端末が照明装置から発信される固有情報を受信し、この受信した固有情報をサーバに送信することで、無線端末の位置を特定するシステムが開示されている。
【発明の概要】
【発明が解決しようとする課題】
【０００４】
しかしながら、電話会議システムに接続する端末は、可搬性があり電話会議を行う会議室によらず利用できる端末が普及している。この場合、電話会議を行う会議室の電話番号を把握していないことも珍しくない。また、事前に電話会議の参加者が用いる電話番号を、電話やメールを用いて伝達されていたとしても、電話会議システムを用いて発信する際に、電話番号を手動で入力しなければならない。そのため、電話番号の入力に手間がかかることや入力誤りによる電話のかけ間違いがあり得る。
【０００５】
さらに、特許文献１では、端末の位置を特定する方法は開示されているが、端末の位置情報を利用して端末間の接続を行うことに関する記載はない。
【０００６】
本発明は、上記のような問題に鑑みてなされたものであり、通信端末が接続先の通信端末の電話番号を把握していない場合においても、簡便に接続先の通信端末の電話番号を取得し、取得した電話番号を用いて通信端末を相互に接続させる通信システム、通信端末及び情報管理サーバの提供を課題とする。
【課題を解決するための手段】
【０００７】
そこで上記課題を解決するため、通信システムは、電話番号に基づき通信する通信機能を備えた通信端末と、該通信端末の位置情報を管理する情報管理装置とを有する通信システムであって、前記通信端末は、通信回線に接続されている通信端末の位置情報を前記情報管理装置から取得する位置情報取得手段と、前記位置情報に基づき、前記通信端末の位置が表示され、前記通信端末の中から通信先を指定可能な画面を生成する画面生成手段と、前記画面に基づき指定された通信端末の電話番号を前記情報管理装置から取得する電話番号取得手段と、前記画面に基づき指定された前記通信端末と接続する接続手段とを有し、前記情報管理装置は、前記通信端末の位置情報に対応付けて電話番号を記憶する記憶手段と、前記通信端末からの前記指定された通信端末の電話番号の取得要求に基づき、該通信端末の電話番号を、前記取得要求をした通信端末に送信する電話番号送信手段とを有する。
【発明の効果】
【０００８】
本発明の実施の形態によれば、通信端末が接続先の通信端末の電話番号を把握していない場合においても、簡便に接続先の通信端末の電話番号を取得し、取得した電話番号を用いて通信端末を相互に接続させることができる。
【図面の簡単な説明】
【０００９】
【図１】本発明の実施の形態における遠隔会議接続システムの構成の一例を示す図である。
【図２】本発明の実施の形態における位置通知・データ転送機器のハードウェア構成の一例を示す図である。
【図３】本発明の実施の形態における通信端末のハードウェア構成の一例を示す図である。
【図４】本発明の実施の形態におけるゲートウェイ装置のハードウェア構成図の一例を示す図である。
【図５】本発明の実施の形態における情報管理サーバのハードウェア構成の一例を示す図である。
【図６】本発明の実施の形態における遠隔会議接続システムの機能構成の一例を示す図である。
【図７】本発明の実施の形態における位置通知・データ転送機器が保持する情報の一例を示す図である。
【図８】本発明の実施の形態における信号フォーマットの一例を示す図である。
【図９】本発明の実施の形態における通信端末の表示部に表示される接続端末指定画面の一例を示す図である。
【図１０】本発明の実施の形態における位置通知・データ転送機器が保持する情報の一例を表す図。
【図１１】本発明の実施の形態における端末位置情報記憶手段が記憶する端末情報管理テーブルの一例である。
【図１２】本発明の実施の形態における電話番号情報記憶手段が記憶する電話番号情報管理テーブルの一例である。
【図１３】本発明の実施の形態における遠隔会議接続システムの電話番号登録の動作の一例を示すシーケンス図である。。
【図１４】本発明の実施の形態における遠隔会議接続システムの電話番号取得の動作の一例を示すシーケンス図である。
【図１５】本発明の実施の形態における電話会議接続アプリの接続端末指定画面の実行選択画面の一例を示す図である。
【図１６】本発明の実施形態の第一の変形例における遠隔会議接続システムの構成の一例を示す図である。
【図１７】本発明の実施形態の第一の変形例における遠隔会議接続システムの機能構成の一例を示す図である。
【図１８】本発明の実施形態の第二の変形例における遠隔会議接続システムの構成の一例を示す図である。
【図１９】本発明の実施形態の第二の変形例における遠隔会議接続システムの電話番号登録の動作の一例を示すシーケンス図である。
【発明を実施するための形態】
【００１０】
以下、本発明の実施の形態について、図面を用いて説明する。
[システム構成]
図１（A）は、本発明の実施の形態における遠隔会議接続システム１の構成例を示す図である。遠隔会議接続システム１は、通信端末１２０ａ、１２０ｂ、１２０ｃ、・・・１２０ｎ（それぞれを区別しない場合は「通信端末１２０」という。）と、位置通知・データ転送機器１００ａ、１００ｂ、１００ｃ、・・・１００ｎ（それぞれを区別しない場合は「位置通知・データ転送機器１００」という。）と、ゲートウェイ装置１４０ａ、・・・１４０ｎ（それぞれを区別しない場合は「ゲートウェイ装置１４０」という。）と、情報管理サーバ（情報管理装置）１６０と、位置通知・データ転送機器１００、通信端末１２０及びゲートウェイ装置１４０を有する無線ネットワーク１７０と、ネットワーク１８０とを有する。また、図１の第１・２・３会議室には、電話回線を接続するためのモジュラージャック９００ａ・９００ｂ・９００ｃ（それぞれを区別しない場合は「モジュラージャック９００」という。）がそれぞれ設置されている。
【００１１】
遠隔会議接続システム１とは、通信端末１２０を用いた１対１又は多地点間接続において、予め通信端末１２０が用いる電話番号を相互に把握していなくても、通信端末１２０の位置情報を利用することにより、相互の接続を実現するシステムである。ここで、１対１又は多地点間接続は、例えば一般的な電話会議やテレビ電話会議等に用いられる。本発明の実施形態において電話会議システムにはテレビ電話会議システムが含まれる。ここで、位置情報とは、経緯情報、建物の階数及び棟番号のような位置を示す情報である。本発明の実施形態における位置情報には、経緯情報、建物の階数、棟番号、建物を識別する情報（事業所コード）が含まれる。遠隔会議接続システム１は、音声・データ通信機能、多地点接続機能、位置情報送受信機能、位置情報管理機能及び接続情報管理機能等を有する。接続情報とは、通信をするために用いられ、通信先・通信元を識別する情報である。接続情報は、例えば、電話番号やＩＰアドレス等である。本発明の実施の形態では、接続情報の一例として電話番号を用いる。ここで、電話番号はそれぞれのモジュラージャック９００毎に予め固定的に割り当てられている。なお、モジュラージャック９００に対する電話番号は変更可能である。本発明の実施の形態における遠隔会議接続システム１は、会議の主催者（ホスト）の通信端末１２０から、会議参加者（ゲスト）の通信端末１２０の電話番号に対し呼び出しを行い（ダイヤルアウト接続）、多地点間接続を行う。ホストの通信端末１２０は、電話会議システムの接続にあたりＰＢＸ１９１を制御する機能を有し、これにより多地点接続を実現する。なお、例えば、通信端末１２０は多地点接続装置ＭＣＵ（Multi-point Control Unit）の機能を有したり、一般の電話会議システムサービスを利用してもよい。
【００１２】
図１（Ａ）に示されている第１会議室・第２会議室・第３会議室には、それぞれ電話回線が敷設され、モジュラージャックが設置されている。また、例えばＩＳＤＮ回線が利用される場合はＴＡ（Terminal Adopter）が設置されており、光ファイバ回線が利用される場合はＯＮＵ（Optical Network Unit）が設置されている。なお、本発明の実施の形態において、各会議室の電話回線（モジュラージャック９００）毎には電話番号が割り当てられている。通信端末１２０は、各会議室のモジュラージャック９００に電話ケーブルを差し込むことにより音声通信、電話会議をすることができる。
【００１３】
図１（B）は、本発明の実施の形態における遠隔会議接続システム１のうち電話会議システムに接続する場合に用いるネットワークの構成例を示す図である。モジュラージャック９００ａ・９００ｂはＰＢＸ（Private Branch eXchange）１９１ａを介して公衆電話網１９０に接続する。モジュラージャック９００ｃはＰＢＸ１９１ｂを介して公衆電話網１９０に接続する。なおＰＢＸは複数存在してもよく、それぞれを区別しない場合は「ＰＢＸ１９１」という。また、公衆電話網１９０は、例えば、企業等で用いられる内線電話網であってもよい。
【００１４】
位置通知・データ転送機器１００は、例えば部屋の天井等に固定され、固定された位置に係る位置情報を連続的又は断続的に無線送信する。位置通知・データ転送機器１００は、それぞれ独立した筐体を有し、予め設置された電源から給電されて動作するか、あるいはＬＥＤ蛍光管のような照明器具に組み込まれ、該照明器具から給電されて動作する。位置通知・データ転送機器１００は、自機が保持する位置情報を、無線信号により所定の範囲に送信する。所定の範囲は、用いられる無線信号の信号強度及び送信アンテナの指向性等によって定められる。位置通知・データ転送機器１００は、位置の管理対象となる領域をカバーするように配置され、それぞれの領域が重複しないように構成される。あるいは、重複する場合であっても、位置情報を受信する側において、受信電波の強度に基づいて、何れか一つの位置通知・データ転送機器１００が決定できるよう構成される。図１の例では、位置通知・データ転送機器１００の下方に示される円錐型の点線が、所定の範囲を表している。位置情報を送信する通信方式として、例えば地上補完信号ＩＭＥＳ（Indoor  Messaging  System）を用いることができる。また、位置通知・データ転送機器１００は通信端末１２０又はゲートウェイ装置１４０に対して位置情報以外のデータを送受信する。
【００１５】
通信端末１２０は、電話会議システムのための多地点接続機能を有する通話機能を備えた通信端末１２０である。通信端末１２０は、ＩＳＤＮ回線やＩＰ電話回線に用いられるＲＪ−４５（Registered Jack-45）又はアナログ電話回線に用いられるＲＪ−１１のコネクタを収容できるインタフェースを備えている。なお、通信端末１２０は、電話会議システムのホスト端末には多地点接続機能は必要であるが、ゲスト端末には必ずしも必要としない。また、１対１の電話会議の場合は、通信端末１２０は多地点接続機能を必要としない。電話会議システムへの接続、すなわち複数の通信端末１２０との音声通信等は、通信端末２００と接続する電話ケーブルやイーサネット（登録商標）ケーブル等が挿入されるモジュラージャック９００を介して公衆電話網やインターネット、イントラネット等のネットワークを用いて行われる。
【００１６】
また、通信端末１２０は、最寄りの位置通知・データ転送機器１００からの無線信号を受信する。無線信号には、位置通知・データ転送機器１００の位置情報やゲートウェイ装置１４０から転送されたデータ等が含まれる。位置通知・データ転送機器１００からの信号の受信は、例えばＩＭＥＳを用いて行われる。通信端末１２０から位置通知・データ転送機器１００への信号の送信は、例えばＩＥＥＥ８０２．１５．４及びＺｉｇＢｅｅ（登録商標）のような近距離無線通信による無線ネットワーク１７０を通じて行われる。
【００１７】
なお、通信端末１２０が位置通知・データ転送機器１００からの位置情報を受信した場合の動作は次のようになる。通信端末１２０が位置情報を受信すると、受信した位置情報と共に、例えばネットワークアドレスのような自機の識別情報を含む情報を位置通知・データ転送機器１００へ送信する。この場合には、通信端末１２０の識別情報として、ＩＥＥＥ８０２．１５．４の短縮アドレスまたはＩＥＥＥ拡張（ＭＡＣ）アドレスを用いることができる。位置通知・データ転送機器１００へ送信された識別情報と位置情報は、次に、隣接する位置通知・データ転送機器１００を経由して、ゲートウェイ装置１４０に送信される。なお、通信端末１２０における送受信の動作は、当該通信端末１２０において予め定められたタイミングか、あるいは当該通信端末１２０の備える加速度センサによる加速度の変化が検出されたタイミングで行われる。
【００１８】
なお通信端末１２０は、能動的に電波を送信する、例えばアクティブタグの特徴を有してもよい。通信端末１２０は、スマートフォン、ＰＤＡ、ＰＣ又はスマートメータのような、アクティブタグと同等の機能を有する通信端末１２０であってもよい。
【００１９】
ゲートウェイ装置１４０は、無線ネットワーク１７０とネットワーク１８０とを相互に接続し、一方のネットワークから送信されたデータを他方のネットワークにブリッジする。ゲートウェイ装置１４０は、例えば建物のフロア毎、または壁などで仕切られた部屋毎に設置される。無線ネットワーク１７０がＩＥＥＥ８０２．１５．４及びＺｉｇＢｅｅ（登録商標）によるＰＡＮ（Personal Area Network）であり、ネットワーク１８０がＩＥＥＥ８０２．３規格に基づくＬＡＮである場合には、それらの間での通信方式の変換を行う。また、通信端末１２０の識別情報がＩＥＥＥ８０２．１５．４の短縮アドレスで表されている場合には、ＰＡＮ構成時の情報に基づきＩＥＥＥ拡張アドレスに変換し、情報管理サーバ１６０に送信する。
【００２０】
情報管理サーバ１６０は、二つのデータテーブルを有し、それらのデータテーブルに含まれる情報を管理する。一方は、ゲートウェイ装置１４０を経由して受信された通信端末１２０の識別情報と位置情報とが記録される端末位置情報管理テーブルである。端末位置情報管理テーブルには、通信端末１２０の位置情報に対応する電話番号も動的に記憶される。他方は、モジュラージャック９００が位置する位置情報とそのモジュラージャック９００に割り当てられている電話番号とが対応付けて記憶される電話番号情報管理テーブルである。電話番号情報管理テーブルには、例えば「第１会議室のモジュラージャック９００ａ」の位置「緯度35.459555、経度139.387110」に対する電話番号が「０３−ｘｘｘｘ−ｘｘｘｘ」のように記憶されている。電話番号情報管理テーブルの情報は予め登録されている。
【００２１】
無線ネットワーク１７０は、位置通知・データ転送機器１００と、通信端末１２０と、ゲートウェイ装置１４０とを接続する、例えばＩＥＥＥ８０２．１５．４及びＺｉｇＢｅｅ（登録商標）規格によって構成されるＰＡＮである。ＰＡＮがＩＥＥＥ８０２．１５．４及びＺｉｇＢｅｅ（登録商標）規格で構成される場合は、通信端末１２０、位置通知・データ転送機器１００、ゲートウェイ装置１４０は、それぞれＺｉｇＢｅｅ（登録商標）規格で定められるエンドデバイス機能、ルータ機能及びコーディネータ機能を有する。そして、それぞれの位置通知・データ転送機器１００及び通信端末１２０は、起動時にゲートウェイ装置１４０の管理下に入り、ＰＡＮを構成し、ゲートウェイ装置１４０への最小経路が決定される。
【００２２】
ネットワーク１８０は、ゲートウェイ装置１４０と情報管理サーバ１６０とを接続するネットワークであり、例えばＩＥＥＥ８０２．３規格で定められるＬＡＮである。なお、ネットワーク１８０は、インターネットに接続することもできる。
【００２３】
上記の通り、本発明の実施の形態における遠隔会議接続システム１において、通信端末１２０は、最寄りの位置通知・データ転送機器１００と通信できるだけの電力を用いて、データを情報管理サーバ１６０に送信することができる。また、位置通知・データ転送機器１００を設置するための新たなインフラの敷設が不要であり、導入コストを低減することができる。
【００２４】
なお、位置通知・データ転送機器１００の位置情報は、無線ネットワーク１７０を通じて提供されてもよい。これにより、例えばＩＭＥＳを用いた位置情報等を送信するための送信手段が不要となる。
【００２５】
また、通信端末１２０は、位置情報を送信した位置通知・データ転送機器１００よりさらに近傍にゲートウェイ装置１４０が存在する場合には、位置情報等のデータをゲートウェイ装置１４０に送信してもよい。これにより、最短経路で識別情報と位置情報が情報管理サーバ１６０に送信できる。
【００２６】
また、情報管理サーバ１６０に、ゲートウェイ装置１４０の機能を統合してもよい。これにより、個別のゲートウェイ装置１４０が不要となる。
【００２７】
また、上述の位置情報に加えて、例えば部屋の中の区画を表す情報のような、より細かな位置を特定する情報を含んでもよい。これにより、より細かな位置管理が可能となる。
【００２８】
また、無線ネットワーク１７０は、例えばＢｌｕｅｔｏｏｔｈ  ＬＥ、ＡＮＴ、Ｚ−Ｗａｖｅ等の近距離無線通信を用いて構成されてもよい。これにより、多様な通信端末１２０の位置情報を管理することが可能となる。
【００２９】
また、ネットワーク１８０は、例えばインターネットのような、複数の種類のネットワークを含んでもよい。これにより、無線ネットワーク１７０と情報管理サーバ１６０との間の物理的な位置に関係なく、通信端末１２０の位置情報を管理することが可能となる。
【００３０】
＜システム動作概要＞
本発明の実施の形態において遠隔会議接続システム１の動作概要を説明する。遠隔会議接続システム１が、図１（Ａ）の会議室に存在している通信端末１２０ａ・１２０ｂ・１２０ｃの三者により行われる電話会議システムに利用される場面である。通信端末１２０ａが電話会議の主催者（ホスト）の端末であり、通信端末１２０ｂ・１２０ｃが会議参加者（ゲスト）の端末である。本発明の実施の形態における電話会議システムでは、ホストからゲストの電話番号に対して発信し接続する。また、通信端末１２０ａのユーザをホストユーザ、通信端末１２０ｂ・１２０ｃのユーザをゲストユーザという。
【００３１】
（１）初期状態では、通信端末１２０ａ・１２０ｂ・１２０ｃの各ユーザは、相互の電話番号を知らない状態である。また、情報管理サーバ１６０の電話番号情報管理テーブルには、予め各会議室Ａ・Ｂ・Ｃの電話番号と位置が対応付けられている。なお、各会議室にはモジュラージャック９００は一つ存在していることを前提としている。
【００３２】
（２）各通信端末１２０ａ・１２０ｂ・１２０ｃのユーザは、電話会議システムを利用するために通信端末１２０と電話回線との接続をする。通信端末１２０と電話回線との接続を契機に、通信端末１２０から位置通知・データ転送機器１００及びゲートウェイ装置１４０を介し、情報管理サーバ１６０に、通信端末１２０の位置情報を含む電話番号登録要求が送信される。電話番号登録とは、情報管理サーバ１６０の端末位置情報管理テーブルに、電話番号情報管理テーブルに記憶されている通信端末１２０の位置の会議室の電話番号を登録する処理をいう。情報管理サーバ１６０は、電話番号登録要求を受信すると、電話回線の位置情報とその電話回線に割り当てられている電話番号とが対応付けて記憶されている電話番号情報管理テーブルの中から、通信端末１２０の位置情報に対応する電話回線の位置情報を検索する。対応する電話回線の位置情報が検索されると、その位置情報に対応付けられている電話番号を取得する。その取得した電話番号を、通信端末１２０の位置情報が記憶されている端末位置情報管理テーブルに登録する。
【００３３】
（３）通信端末１２０ａ・１２０ｂ・１２０ｃは、それぞれ電話回線と接続し、情報管理サーバ１６０への電話番号登録の処理を完了させる。ここでホストユーザは、電話会議のホストである通信端末１２０ａにおいて、電話会議システム用アプリを起動する。電話会議システム用アプリとは、遠隔会議接続システム１を利用し、電話会議参加者の電話番号を取得することにより、各通信端末１２０相互の接続（電話会議システムへの接続）を実行するアプリケーションである。ホストユーザは通信端末１２０ａにおいて電話会議システム用アプリを操作し、情報管理サーバ１６０の端末位置情報管理テーブルに記憶されている電話回線との接続が完了している通信端末１２０の位置情報や機種名等を取得する要求である位置情報取得要求を、情報管理サーバ１６０に送信する。なお、位置情報等の取得対象とする通信端末１２０は、端末位置情報管理テーブルに記憶されている電話回線との接続が完了している通信端末１２０ではなく、例えば、記憶されている全ての通信端末１２０や予め定められた電話会議を識別する電話会議ＩＤを有する通信端末１２０等にしてもよい。
【００３４】
（４）情報管理サーバ１６０から通信端末１２０の位置情報、識別情報及び機種名等を受信すると、電話会議システム用アプリは、受信した情報に基づき、通信端末１２０の位置情報及び機種名が、通信端末１２０の位置する事業所・階数・棟のフロアマップに表示された接続端末指定画面を生成する。ホストユーザは、通信端末１２０ａの画面に表示された接続端末指定画面に基づき、電話会議システムのゲストユーザの通信端末１２０ｂ・１００ｃを指定する。
【００３５】
（５）通信端末１２０ａの画面上で電話会議システムのゲストユーザの通信端末１２０が指定されると、通信端末１２０は、情報管理サーバ１６０に、指定した通信端末１２０ｂ・１００ｃの電話番号の取得を要求（電話番号取得要求）する。情報管理サーバ１６０からの応答には、通信端末１２０ｂ・１２０ｃの電話番号が含まれている。
【００３６】
（６）通信端末１２０ａは、取得した通信端末１２０ｂ・１２０ｃの電話番号に対し、ＰＢＸを制御し、多地点接続（電話会議システムへの接続）を行う。この電話会議システムに接続するための発信の動作は、電話会議システム用アプリにより通信端末１２０ｂ・１００ｃの電話番号の取得を契機に行われる。なお、通信端末１２０ａからの発信動作は、自動的に行われてもよいし、通信端末１２０ａのユーザにより手動で行われてもよい。
【００３７】
以上の動作により、通信端末１２０ａ・１２０ｂ・１２０ｃは相互に通話が可能となる。
[ハードウェア構成]
次に、図２、図３、図４、図５はそれぞれ、位置通知・データ転送機器１００、通信端末１２０、ゲートウェイ装置１４０及び情報管理サーバ１６０のハードウェア構成の一例を示した図である。
【００３８】
＜位置通知・データ転送機器＞
図２は、本発明の実施の形態における位置通知・データ転送機器１００のハードウェア構成を表す。位置通知・データ転送機器１００は、ＣＰＵ２００、ＲＡＭ２０２、ＲＯＭ２０４、位置信号送信部２０６、無線通信部２０８及びバス２１０を有する。
【００３９】
ＣＰＵ２００は、当該位置通知・データ転送機器１００の動作制御を行うプログラムを実行する。ＲＡＭ２０２は、ＣＰＵ２００のワークエリア等を構成する。ＲＯＭ２０４は、ＣＰＵ２００が実行するプログラムに加えて、当該位置通知・データ転送機器１００の位置情報を記憶する。位置信号送信部２０６は、例えばＩＭＥＳのような測位信号を送出するアンテナを含む装置であり、位置通知・データ転送機器１００の位置情報を表す測位信号を送信する。無線通信部２０８は、例えばＩＥＥＥ８０２．１５．４規格に適合する電波を送受信可能なアンテナ等の無線通信インタフェースである。バス２１０は、上記装置を電気的に接続する。
【００４０】
上記構成により、本発明の実施の形態における位置通知・データ転送機器１００は、通信端末１２０に対して位置情報を送信し、通信端末１２０から識別情報と位置情報を受信し、これらの情報をゲートウェイ装置１４０を介して情報管理サーバへ送信することができる。
【００４１】
なお、上述したように、位置情報を無線通信によって送信する場合には位置信号送信部２０６は不要となる。
【００４２】
＜通信端末＞
図３は、本発明の実施の形態における通信端末１２０のハードウェア構成を表す。通信端末１２０は、ＣＰＵ２２０、ＲＡＭ２２２、ＲＯＭ２２４、操作部２２１、表示部２２３、スピーカ２２５、マイク２２７、位置信号受信部２２６、無線通信部２２８、音声・シグナリング通信部２３２、加速度検出部２３０及びバス２３４等を有する。
【００４３】
ＣＰＵ２２０は、通信端末１２０の動作制御を行うプログラムを実行する。ＲＡＭ２２２は、ＣＰＵ２２０のワークエリア等を構成する。ＲＯＭ２２４は、ＣＰＵ２２０が実行するプログラムに加えて、通信端末１２０の識別情報や、位置通知・データ転送機器１００から受信した位置情報を記憶する。位置信号受信部２２６は、例えばＩＭＥＳのような測位信号を受信するアンテナ等であり、位置情報を表す測位信号を受信する。無線通信部２２８は、例えばＩＥＥＥ８０２．１５．４規格に適合する電波を送受信可能なアンテナ等の無線通信インタフェースである。音声・シグナリング通信部２３２は、例えば、ＲＪ−４５インタフェース等でありＰＢＸ１９１との間で送受信される制御信号や、ＰＢＸ１９１を介して通信端末１２０間での音声信号のインタフェースである。加速度検出部２３０は、例えば加速度センサ又は慣性力や磁気を用いたモーションセンサである。操作部２２１は、ユーザからの入力を受け付けるインタフェースである。操作部２２１は、例えばタッチパネル、ダイヤルキー、キーボード、マウスである。表示部２２３は、ユーザに対する情報の表示出力がされる液晶や有機ＥＬ等のユーザインタフェース画面である。なお、表示部２２３がタッチパネルの場合は、操作部２２１と一体となっている。スピーカ２２５は、電気信号の音声信号を音声に変換し、音声を発信する。マイク２２７は、音声を受信し、音声を電気信号に変換する。バス２３４は、上記装置を電気的に接続する。
【００４４】
上記構成により、本発明の実施の形態における通信端末１２０は、位置通知・データ転送機器１００から位置情報等のデータを受信し、位置情報等のデータを位置通知・データ転送機器１００へ送信することができる。特に、通信端末１２０が動かされたタイミングで送信又は受信の動作を行うことにより、効率的に識別情報及び位置情報を送信することができる。また、多地点接続を行う電話会議システムを実行することができる。
【００４５】
なお、通信端末１２０がスマートフォンやＰＣのような情報端末である場合には、ユーザからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【００４６】
また、通信端末１２０がＧＰＳアンテナ及び対応する制御部を備える場合には、前記アンテナを用いてＩＭＥＳによる測位信号を受信でき、ソフトウェアの改修のみによって当該遠隔会議接続システム１に対応させることができる。
【００４７】
また、加速度検出部２３０は任意の構成要素である。加速度検出部２３０を備えない場合には、当該通信端末１２０の送信又は受信の動作は、予め定められた間隔又は時刻においてなされる。
【００４８】
また、上述したように、位置情報が無線通信によって受信される場合には、位置信号受信部２２６は不要となる。
【００４９】
＜ゲートウェイ装置＞
図４は、本発明の実施の形態におけるゲートウェイ装置１４０のハードウェア構成を表す。ゲートウェイ装置１４０は、ＣＰＵ２４０、ＲＡＭ２４２、ＲＯＭ２４４、無線通信部２４６、有線通信部２４８及びバス２５０等を有する。
【００５０】
ＣＰＵ２４０は、当該ゲートウェイ装置１４０の動作制御を行うプログラムを実行する。ＲＡＭ２４２は、ＣＰＵ２４０のワークエリア等を構成する。ＲＯＭ２４４は、ＣＰＵ２４０が実行するプログラムや該プログラムが使用するデータを記憶する。無線通信部２４６は、例えばＩＥＥＥ８０２．１５．４規格に適合する電波を送受信可能なアンテナ等の無線通信インタフェースである。有線通信部２４８は、例えばＩＥＥＥ８０２．３規格に適合するネットワークインターフェースである。バス２５０は、上記装置を電気的に接続する。
【００５１】
上記構成により、本発明の実施の形態におけるゲートウェイ装置１４０は、位置通知・データ転送機器１００及び通信端末１２０を含む無線ネットワーク１７０からの信号を、情報管理サーバ１６０を含むネットワーク１８０へと変換することができる。また、ＰＡＮを構成する無線ネットワーク１７０がＺｉｇＢｅｅ（登録商標）である場合には、ＰＡＮに参加するデバイスを管理するコーディネータの機能を有することができる。
【００５２】
＜情報管理サーバ＞
図５は、本発明の実施の形態における情報管理サーバ１６０のハードウェア構成を表す。情報管理サーバ１６０は、ＣＰＵ２６０、ＲＡＭ２６２、ＲＯＭ２６４、ＨＤＤ２６６、通信部２６８、表示部２７０、入力部２７２及びバス２７４を有する。
【００５３】
ＣＰＵ２６０は、情報管理サーバ１６０の動作制御を行うプログラムを実行する。ＲＡＭ２６２は、ＣＰＵ２６０のワークエリア等を構成する。ＲＯＭ２６４は、ＣＰＵ２６０が実行するプログラムや該プログラムが使用するデータを記憶する。ＨＤＤ２６６には、通信端末１２０の識別情報や位置情報等が記録される端末位置情報管理テーブルと、例えば図１（Ａ）の第１〜３会議室に敷設されている電話回線（モジュラージャック９００）の位置情報及びその電話回線に割り当てられている電話番号が対応付けて記憶される電話番号情報管理テーブルとが記憶される。通信部２６８は、例えばＩＥＥＥ８０２．３規格に適合するネットワークインターフェースである。表示部２７０は、ユーザに情報を表示する、例えば液晶ディスプレイやＣＲＴディスプレイのようなディスプレイである。入力部２７２は、ユーザからの入力を受け付ける、キーボード、マウス等である。バス２７４は、上記装置を電気的に接続する。
【００５４】
上記構成により、本発明の実施の形態における情報管理サーバ１６０は、通信端末１２０の位置を管理し、該通信端末１２０の所在を探索することができ、また通信端末１２０に現在接続している他の通信端末１２０の位置情報及び電話番号を通知することができる。
【００５５】
なお、ＨＤＤ２６６は、テープドライブを含むあらゆる記憶装置であってもよく、あるいは、ネットワークを介してアクセス可能なストレージ領域であってもよい。
【００５６】
また、情報管理サーバ１６０は、上述したゲートウェイ装置１４０が備える無線通信制御部及び無線位置通知・データ転送機器１００を備え、ゲートウェイ装置１４０に代えて、その処理を行ってもよい。これにより、ゲートウェイ装置１４０を別途設ける必要がなくなる。
[機能構成]
図６は、本発明の実施の形態における遠隔会議接続システム１の機能構成の一例を示す図である。位置通知・データ転送装置１００、通信端末１２０、ゲートウェイ装置１４０、情報管理サーバ１６０における各機能は、それぞれＣＰＵ２００、ＣＰＵ２２０、ＣＰＵ２４０、ＣＰＵ２６０がプログラムを実行し、ハードウェアと協働することで実現される。
【００５７】
＜位置通知・データ転送装置＞
本発明の実施の形態において位置通知・データ転送装置１００は、位置情報格納手段１０００、位置情報通知生成・送信手段１００１、及びデータ転送手段１００２等を有する。
【００５８】
位置情報格納手段１０００は、通信端末１２０が設置される位置を表す位置情報を格納する。位置情報には、例えば、緯度、経度、高度、フロア、建物の棟番号を表す情報を含む。図７は、本発明の実施の形態における位置通知・データ転送機器の位置情報格納手段１０００が保持する情報の一例を示す図である。図７は、事業所コード、階数、緯度、経度、棟番号等の項目を含む。事業所コードは、ユーザにより任意に定められた当該位置通知・データ転送機器１００が設置される事業所を表す。階数は、当該位置通知・データ転送機器１００が設置される建物の階数を表す。緯度及び経度は、当該位置通知・データ転送機器１００の所在する位置の緯度及び経度を表す。棟番号は、当該位置通知・データ転送機器１００が設置される建物の棟番号を表す。図７の例では、位置通知・データ転送機器１００は、事業所Ａのｃ棟の１６階に所在し、緯度が３５．４５９５５５、経度が１３９．３８７１１０の地点に所在する。位置情報は、予め、通信端末１２０の管理者によって設定される。なお、位置情報には部屋の中の区画を表す情報のような追加の情報を含んでもよい。これにより、より細かな位置管理が可能となる。
【００５９】
位置情報通知生成・送信手段１００１は、位置情報格納手段１０００に格納された位置情報に基づき位置情報通知信号を生成し、通信端末１２０に送信する。位置情報通知信号は、例えば、ＩＭＥＳ規格によって定義されるフレーム構造によって構成され得る。また、位置情報通知の送信契機は任意であるが、一定周期（例えば、１分間隔）で送信する。
【００６０】
データ転送手段１００２は、通信端末１２０からの位置情報通知信号をゲートウェイ装置１４０に送信したり、ゲートウェイ装置から送信されたデータを受信し通信端末に転送する。また、データ転送手段１００２は、通信端末１２０から送信されたデータを受信し、ゲートウェイ装置１４０に転送する。無線ネットワーク１７０にＺｉｇＢｅｅ（登録商標）規格が用いられる場合、データ転送は当該位置通知・データ転送機器１００が保持するルーティング情報を用いて行われる。
【００６１】
＜通信端末＞
本発明の実施の形態において通信端末１２０は、情報要求・受付手段１２００、接続端末指定画面生成手段１２０７、接続端末指定手段１２１０、会議システム接続手段１２１１、無線通信手段１２１２、音声・シグナリング通信手段１２１３、記憶手段１２１４、入力手段１２１５、表示手段１２１６等を有する。情報要求・受付手段１２００には、位置情報受付手段１２０１、位置情報更新要求手段１２０２、電話番号登録要求手段１２０４、接続候補位置情報取得要求手段１２０５、接続候補位置情報受付手段１２０６、接続先電話番号取得要求手段１２０８及び接続先電話番号受付手段１２０９が含まれる。また、電話会議の接続のための処理は、通信端末１２０にインストールされている電話会議システム用アプリ１２０３により実行される。電話会議システム用アプリ１２０３は、上記手段のうち電話番号登録要求手段１２０４、接続候補位置情報取得要求手段１２０５、接続候補位置情報受付手段１２０６、接続端末指定画面生成手段１２０７、接続先電話番号取得要求手段１２０８、接続先電話番号受付手段１２０９、接続端末指定手段１２１０及び会議システム接続手段１２１１等の機能を実行する。
【００６２】
無線通信手段１２１２は、近距離無線通信用の無線ネットワーク１７０を介して情報要求・受付手段１２００により生成された情報を位置通知・データ転送機器１００に送信したり、位置通知・データ転送機器１００からの情報を受信したりする。当該通信端末１２０の識別情報３２２と共に位置情報３２４を位置通知・データ転送機器１００に送信する。
【００６３】
通信端末１２０から送信される信号のフォーマットの一例を図８に示す。図８のフォーマットでは、メッセージタイプ（４ｂｉｔ）、階数（９ｂｉｔ）、緯度（２１ｂｉｔ）、経度（２１ｂｉｔ）、棟番号（８ｂｉｔ）、事業所コード（８ｂｉｔ）、電話番号（４９ｂｉｔ）のフィールドを有する。ここで、図８のメッセージタイプには、位置情報更新要求、電話番号登録要求、接続候補位置情報取得要求、接続先電話番号取得要求及び電話番号消去要求の信号の種別が設定される。各信号の説明は後述する。ここで例えば、位置情報更新要求のメッセージタイプは０００１（２進数）、電話番号登録要求のメッセージタイプは００１０のように定義する。電話番号には、ＩＴＵ−Ｔ（国際電気通信連合  電気通信標準化セクター）のＥ．１６４勧告に基づく電気通信番号の形式で表現される。Ｅ．１６４勧告の電気通信番号は、地域別国番号ＣＣ（Country Code for geographic areas）、国内宛先コードＮＤＣ（National Destination Code）、加入者番号ＳＮ（Subscriber Number）から構成される。なお、この信号フォーマットは、ＩＭＥＳ規格により定義されたフレームのフォーマットから、メッセージタイプ、事業所コード、電話番号のフィールドを拡張したものである。また、各フィールドの表現形式はＩＭＥＳ規格に準ずる。なお、このフォーマットに加えて、通信方式によって規定されるヘッダやチェックサム情報が付加されて送信される。通信方式として、例えばＩＥＥＥ８０２．１５．４及びＺｉｇＢｅｅ（登録商標）規格が用いられる。
【００６４】
位置情報受付手段１２０１は、無線通信手段１２１２により受信された位置情報通知信号を受け付けると、記憶手段１２１４に受信した位置情報を記憶し、位置情報更新要求手段１２０２に、情報管理サーバ１６０により管理されている通信端末１２０の位置情報を管理するテーブルの更新要求信号の生成を要求する。
【００６５】
位置情報更新要求手段１２０２は、情報管理サーバ１６０により管理されている通信端末１２０の位置情報を管理するテーブルの更新を要求する位置情報更新要求信号を生成する。位置情報更新要求信号には、位置情報受付手段１２０１が受け付けた位置情報、通信端末１２０を一意に識別する識別情報が含まれる。識別情報とは、例えば、通信端末１２０のＭＡＣアドレスやデバイスＩＤである。識別情報は情報管理サーバ１６０が、それぞれの通信端末１２０を区別するために用いられる。位置情報更新要求手段１２０２が生成した位置情報更新要求信号を、信号情報管理サーバ１６０に送信する契機は任意である。送信契機は、例えば、位置通知・データ転送機器１００からの位置情報通知の受信時、通信端末１２０の電源の投入時、一定周期、又は通信端末１２０が加速度センサ等を備えている場合は、センサによる移動の検出時等である。
【００６６】
次に、電話会議システム用アプリ１２０３により実行される機能を説明する。
【００６７】
電話番号登録要求手段１２０４は、通信端末１２０の備えるインタフェースである、例えばＲＪ−４５コネクタのインタフェースに、電話ケーブルが挿入されたことを検知すると、電話番号登録要求信号を生成する。なお、電話番号登録要求信号が生成される契機は、例えば電話会議システム用アプリ１２０３によるユーザからの入力の受付時であってもよい。電話番号登録要求は、情報管理サーバ１６０が管理する通信端末１２０の端末位置情報管理テーブルを更新するための要求信号である。電話番号登録要求の信号フォーマットにおいて、例えば、図８に示されるメッセージタイプのフィールドには「００１０」が設定され、記憶部１２１２に記憶されている緯度・経度・階数・棟番号・事業所コードが設定される。また、電話番号登録要求には識別情報も含まれる。また、電話番号登録要求手段１２０４は、通信端末１２０の備えるインタフェースである、例えばＲＪ−４５コネクタのインタフェースから電話ケーブルが抜去されたことを契機として、電話番号消去要求を生成する。電話番号消去要求は、情報管理サーバ１６０の端末位置情報管理テーブルに記憶されている電話番号を、削除するための要求である。この要求のメッセージタイプのフィールドには「０１０１」が設定される。
【００６８】
接続候補位置情報取得要求手段１２０５は、電話会議の接続先となり得るゲストの通信端末１２０の位置情報及び識別情報等の取得を要求する接続候補位置情報取得要求を生成し、情報管理サーバ１６０に送信する。接続候補位置情報取得要求の応答に含まれる情報に基づき、接続候補位置情報電話会議の参加者の端末を指定するためのユーザインタフェース画面が生成される。また、接続候補の端末とは、情報管理サーバ１６０において電話回線に接続され、電話会議をすることが可能と判定された端末である。接続候補位置情報取得要求の信号フォーマットにおいて、例えば、図８に示されるメッセージタイプのフィールドには「００１１」と設定され、識別情報が含まれる。接続候補位置情報取得要求手段１２０５が要求信号を生成すると、無線通信手段１２１２を介して、情報管理サーバ１６０に要求信号を送信する
接続候補位置情報受付手段１２０６は、情報管理サーバ１６０から送信された接続候補の位置情報、識別情報等を受け付け、接続端末指定画面生成手段１２０７に、電話会議システムに接続する通信端末１２０を指定するためのユーザインタフェース画面である接続端末指定画面の生成を要求する。
【００６９】
接続端末指定画面生成手段１２０７は、接続候補位置情報受付手段１２０６からの要求に基づき接続端末指定画面を生成し、表示手段１２１６に当該画面を表示させる。そして、接続端末指定手段１２１０は接続端末指定画面において表示された通信端末１２０の中から電話会議システムに接続させたい通信端末１２０を、入力手段１２１５を介して指定する。図９は、通信端末１２０の表示部２２３に表示される接続端末指定画面の一例を示す図である。図９には、会議システムのホスト端末である通信端末１２０ａの表示部２２３に、ホスト端末の通信端末１２０ａと、ゲスト端末となり得る接続候補である通信端末１２０ｃとが表示されている。また、通信端末１２０ａ・１２０ｃの機種名（ＵＣＳ  Ｓ７０００）が表示されている。また、通信端末１２０ａが表示されている画面の左上２００１には、通信端末１２０ａの位置を示す情報である事業所・棟・階（Ａ事業所ｃ棟１６Ｆ）が表示されている。同様に通信端末１２０ｃの位置も表示されている。ここで、ホストユーザが接続先を指定するために、通信端末１２０ａを指しているカーソル２００２を、通信端末１２０ｃに向けて、操作部２２１であるマウス等を操作し、ドラッグ＆ドロップをする。このドラッグ＆ドロップ操作により通信端末１２０ｃが電話会議システムの接続先として指定される。ドラッグ＆ドロップ操作ではなく、クリック操作等により接続先を指定してもよい。なお、図９では画面上に、２つの通信端末１２０ａ・１２０ｃを表示したが、接続先の候補となり得る通信端末１２０が複数ある場合は、画面を分割することにより複数の通信端末１２０を表示させることができる。
【００７０】
また、接続端末指定画面は、図１０のようにリスト形式に切り替えて表示することができる。図１０に示されるように、画面には事業所、棟、階、機種名、端末の所有部署及びチェックボックスが含まれる。チェックボックスが選択された端末が接続先端末として指定される。図１０のリスト形式により、接続候補の端末が多く存在する場合、指定がし易くなる。
【００７１】
接続先電話番号取得要求手段１２０８は、接続端末指定画面において指定された通信端末１２０の電話番号の取得を要求するための接続先電話番号取得要求を生成する。接続先電話番号取得要求には、接続先として指定された通信端末１２０の識別情報が含まれる。また、接続先電話番号取得要求の信号フォーマットにおいて、例えば、図８に示されるメッセージタイプは「０１００」と設定される。接続先電話番号取得要求手段１２０８は、要求信号を生成すると、無線通信手段１２１２を介して、情報管理サーバ１６０に要求信号を送信する。
【００７２】
接続先電話番号受付手段１２０９は、接続先電話番号取得要求に対する応答信号を受け付け、応答信号に含まれている接続先の通信端末１２０の電話番号を取得する。電話番号の取得後、会議システム接続手段１２１１に、接続先の電話番号に対する電話会議システムの接続処理を実行させる。
【００７３】
会議システム接続手段１２１１は、複数の通信端末１２０による多地点接続（1対１接続を含む）処理を実行する。会議システム接続手段１２１１は、ＰＢＸを制御し、電話会議に参加する複数の通信端末１２０間での音声通信（通話）を可能とする。接続先電話番号受付手段１２０９から取得した接続先（ゲスト）端末の電話番号に対して呼び出し処理を行う。
【００７４】
音声・シグナリング通信手段１２１３は、会議システム接続手段１２１１からの指示に基づき、接続先の電話番号に対して、シグナリング信号をＰＢＸ１９１に送信し、他の通信端末１２０との間での回線を確立して音声通信を行う。
【００７５】
記憶手段１２１４には、図３のＲＡＭ２２２、ＲＯＭ２２４等が用いられる。記憶手段１２１４には、通信端末１２０の識別情報や受信した位置情報通知に含まれる位置情報等が記憶される。
【００７６】
入力手段１２１５は、図３の操作部２２１であるキーボードやマウス、タッチパネルの画面操作等によりユーザからの入力指示を受け付ける。
【００７７】
表示手段１２１６は、図３の表示部２２３であるユーザインタフェース画面に、例えば接続端末指定画面生成手段１２０７により生成された情報を表示する。
【００７８】
＜ゲートウェイ装置＞
本発明の実施の形態において、ゲートウェイ装置１６０は、通信変換手段１４００を有する。
【００７９】
通信変換手段１４００は、無線ネットワーク１７０に属する通信端末１２０から受信したデータを、外部のネットワーク（例えば、図１（Ａ）のネットワーク１８０）に適合する形式に変換する。変換されたデータは、情報管理サーバ１６０に送信される。一方、ネットワーク１８０から受信するデータは、無線ネットワーク１７０に適合する形式に変換され、位置通知・データ転送機器１００に送信される。
【００８０】
＜情報管理サーバ＞
本発明の実施の形態において、情報管理サーバ１６０は、情報受付・応答手段１６００、記憶手段１６０７及び通信手段１６１０を有する。情報受付・応答手段１６００には、位置情報更新受付手段１６０１、電話番号登録要求受付手段１６０２、接続候補位置情報取得要求受付手段１６０３、接続候補位置情報取得要求応答手段１６０４、接続先電話番号取得要求受付手段１６０５及び接続先電話番号取得要求応答手段１６０６が含まれる。記憶手段１６０７には、端末位置情報記憶手段１６０８及び電話番号情報記憶手段１６０９が含まれる。
【００８１】
通信手段１６１０は、ゲートウェイ装置１４００から送信されるデータを受信したり、接続候補位置情報取得要求応答手段１６０４・接続先電話番号取得要求応答手段１６０６により生成される信号を送信するインタフェースである。
【００８２】
端末位置情報記憶手段１６０８には、受信した通信端末１２０の識別情報と位置情報が記憶される。また、端末位置情報記憶手段１６０８には、その他に情報の受信日時や通信端末１２０の詳細情報が記憶される。
【００８３】
図１１は、端末位置情報記憶手段１６０８が情報を記憶するために用いる端末情報管理テーブルの一例である。図１１に示されるように、端末情報管理テーブルには、識別情報、緯度、経度、事業所、階数、棟、位置情報受信日時、機器名、所有部署、地図情報格納先アドレス及び電話番号等が記憶される。識別情報は、通信端末１２０の識別情報であり、例えば通信端末１２０のＭＡＣアドレスである。緯度、経度、階数、棟は、通信端末１２０から受信した位置情報に含まれる情報であり、通信端末１２０が最寄りの通信装置１４０から受信した位置情報である。位置情報受信日時は、位置情報受信手段８１６が、通信端末１２０から、識別情報及び位置情報を受信した日時を表す。機器名は、通信端末１２０の製造元や型番を示す情報である。所有部署は、通信端末１２０の所有者等を表す情報である。機器名及び所有部署は、予め通信端末１２０の識別情報と関連付けられ、情報管理サーバ１６０又は外部のサーバに格納されている。地図情報格納先アドレスは、事業所、階数及び棟に対応する地図（フロアマップ）情報のファイルが格納されているアドレスである。地図情報のファイルは、管理サーバ１６０又は外部のサーバに、事業所、階数及び棟に関連付けられて格納されている。位置情報の受信を契機に、地図情報のファイル格納先アドレスが更新される。この地図情報のファイルに基づき、接続端末指定画面生成手段１２０７は、図９に示される接続端末指定画面を生成する。なお、地図情報のファイルは例えばＪＰＥＧ（Joint Photographic Experts Group）形式で保存されているが、ＪＰＥＧに限らずＢｉｔｍａｐ形式やＰＮＧ（Portable Network Graphics）形式等であってもよい。電話番号は、後述する電話番号登録要求受付手段１６０２により入力される電話番号である。すなわち、端末情報管理テーブルの電話番号は、位置情報が登録・更新される契機では、入力されない。
【００８４】
図１２は、電話番号情報記憶手段１６０９が情報を記憶するために用いる電話番号情報管理テーブルの一例である。図１２に示されるように、電話番号情報管理テーブルには、モジュラージャックＩＤ、緯度、経度、事業所、階数、棟、電話番号更新日時及び電話番号等が記憶される。モジュラージャックＩＤは、緯度、経度等の情報を識別するための、情報管理サーバ１６０において一意に付与される識別番号である。緯度、経度は、位置通知・データ転送装置１００に格納されている情報である。電話番号は、緯度・経度に対応する位置にある加入者線（電話回線）に割り当てられている１０進数の有限桁数の数字である。具体的には、例えば図１中の「第１会議室」のモジュラージャックの位置「緯度35.459555、経度139.387110」に対する電話番号が「０３−ｘｘｘｘ−ｘｘｘｘ」である場合は、図１２に示されるように、これらの緯度・経度に対応する電話番号として「０３−ｘｘｘｘ−ｘｘｘｘ」が記憶されている。なお、電話番号情報管理テーブルに記憶される情報は予め登録されている。
【００８５】
ここで、端末位置情報記憶手段１６０８に記憶される電話番号が登録される動作について図１１・１２を用いて説明する。電話番号登録要求受付手段１６０２は、通信端末１２０の位置情報（緯度35.459555、経度139.387110）が含まれた電話番号登録要求を受け付けると、電話番号記憶手段１６０９に記憶されている緯度、経度の中から通信端末１２０ａの位置情報と同一の緯度・経度の項目を検索する。なお、検索条件を「同一の緯度・経度」としたが、通信端末１２０の近距離の移動、例えば電話回線のケーブル長を考慮し、一定の範囲内における緯度・経度を含めて検索してもよい。ここで、図１２において、「緯度35.459555、経度139.387110」に対応する電話番号は、「０３−ｘｘｘｘ−ｘｘｘｘ」である。次いで、電話番号登録要求受付手段１６０２は、図１１に記憶されている通信端末１２０に該当する緯度35.459555、経度139.387110に対応する電話番号の項目に、「０３−ｘｘｘｘ−ｘｘｘｘ」を入力する。
【００８６】
位置情報更新受付手段１６０１は、位置情報更新要求を受け付けると、端末位置情報記憶手段１６０８に記憶される情報を更新する。
【００８７】
接続候補位置情報取得要求受付手段１６０３は、接続候補位置情報取得要求を受け付けると、端末位置情報記憶手段１６０８に記憶される情報のうち電話番号が入力されている通信端末情報１２０の位置情報、識別情報等の全ての項目の情報を取得する。電話番号が入力されている通信端末１２０とは、通信端末１２０に電話回線の接続が完了しており、物理層における接続は完了していることを示す。すなわち、電話会議システムに参加する蓋然性が高い端末であり、電話会議システムの接続の候補となり得る端末である。記憶されている全ての端末の情報ではなく、一部の端末に限定することにより送信するデータ量を削減し、ネットワークの負荷を軽減することができる。接続候補位置情報取得要求受付手段１６０３は、取得した接続候補の通信端末情報１２０の位置情報等の情報を接続候補位置情報取得要求応答手段１６０４に通知する。
【００８８】
接続候補位置情報取得要求応答手段１６０４は、接続候補の通信端末情報１２０の位置情報等の情報を含む接続候補位置情報取得要求応答を、通信手段１６１０を介し通信端末１２０に送信する。
【００８９】
接続先電話番号取得要求受付手段１６０５は、接続先電話番号取得要求に含まれる接続先として指定された通信端末１２０の識別情報に基づき、端末位置情報記憶手段１６０８の中の指定された通信端末１２０の電話番号を検索し、読み出す。接続先電話番号取得要求受付手段１６０５は、読み出した通信端末１２０の電話番号を、接続先電話番号取得要求応答手段１６０６に通知する。
【００９０】
接続先電話番号取得要求応答手段１６０６は、接続先の通信端末１２０の電話番号を含む接続先電話番号取得要求応答を、通信手段１６１０を介し通信端末１２０に送信する。
[動作手順]
本発明の実施の形態における遠隔会議接続システム１の動作手順を説明する。
【００９１】
初期状態として、電話会議システムを利用したいユーザは、相互の電話番号を把握していない。また、通信端末１２０には、電話会議接続システムアプリ１２０３がインストールされている。また、通信端末１２０と、位置通知・データ転送機器１００と、ゲートウェイ装置１４０との間のＰＡＮは既に確立されている。遠隔会議接続システム１は、この状態から次の手順により電話会議システムに接続する。
【００９２】
（Ａ）予め電話会議システムに参加する通信端末１２０の位置情報、電話番号を情報管理サーバ１６０に登録する（電話番号登録処理）。
【００９３】
（Ｂ）ホストである通信端末１２０は、接続先（ゲスト）の通信端末１２０の電話番号を取得し、取得した電話番号で発呼し、ゲストとの回線を確立する（電話番号取得処理）。
【００９４】
以下に図１３、図１４を用いて、（Ａ）、（Ｂ）のそれぞれについて説明する。
【００９５】
＜（Ａ）電話番号登録処理＞
図１３は、本発明の実施の形態において通信端末１２０ａが自機の電話番号を、情報管理サーバ１６０に登録する動作を示すシーケンス図の一例である。
【００９６】
Ｓ８０１：まず情報管理サーバの電話番号記憶手段１６０９に記憶される電話番号情報管理テーブルの情報の事前登録が行われる。電話番号情報管理テーブルの緯度、経度には、位置通知・データ転送機器１００が設置されている位置（緯度・経度）がモジュラージャック９００（図１（Ａ）・（Ｂ）参照）の位置として設定される。そして、電話番号には、そのモジュラージャック９００の位置に対応する電話回線（加入者線）に割り当てられている電話番号が設定される。位置通知・データ転送機器１００の位置に、電話回線が存在しない場合は、位置情報は設定する必要はない。
【００９７】
Ｓ８０２：位置通知・データ転送機器１００の位置情報通知生成・送信手段１００１は位置情報を位置情報格納手段１０００から読み出し、位置情報通知信号を生成する。位置情報通知生成・送信手段１００１は、データ転送手段１００２を介し位置情報通知を、ＩＭＥＳ等により連続的又は断続的に送信する。
【００９８】
Ｓ８０３：通信端末１２０ａの位置情報受付手段１２０１は、周期的（例えば1分周期）に行われる位置情報通知の受信処理により、位置通知・データ転送機器１００から送信される位置情報通知を受信する。なお、通信端末１２０ａが加速度センサを備え、加速度の変化の検知を契機に、位置情報通知を受信してもよい。
【００９９】
Ｓ８０４：位置情報受付手段１２０１は、受け付けた位置情報を、記憶手段１２１４に記憶する。
【０１００】
Ｓ８０５：電話番号登録要求手段１２０４が、通信端末１２０ａの電話回線を収容するインタフェース、例えばＲＪ−４５コネクタのインタフェースに、電話ケーブルが挿入されたことを検知すると、電話番号登録要求信号を生成する。なお、電話番号登録要求信号が生成される契機は、例えば電話会議システム用アプリ１２０３によるユーザからの入力の受付が契機であってもよい。
【０１０１】
Ｓ８０６：電話番号登録要求手段１２０４は、通信端末１２０ａの識別情報及び位置情報が指定された宛先アドレスが情報管理サーバ１６０である電話番号登録要求を生成し、無線通信手段１２１２を介し位置通知・データ転送機器１００に送信する。電話番号取得要求信号に含まれるメッセージタイプのフィールドは「００１０」と設定される。
【０１０２】
Ｓ８０７：位置通知・データ転送機器１００のデータ転送手段１００２は、電話番号登録要求の宛先アドレスと、自機が保有するルーティングテーブルに基づき、ゲートウェイ装置１４０に転送する。
【０１０３】
Ｓ８０８：ゲートウェイ装置の通信変換手段１４００は、位置通知・データ転送機器１００から転送された無線ネットワーク１７０の通信方式・プロトコルのデータを、ネットワーク１８０に適合する形式に変換する。通信変換手段１４００は、変換したデータを、情報管理サーバ１６０に送信する。
【０１０４】
Ｓ８０９：情報管理サーバ１６０の電話番号登録要求受付手段１６０２が、電話番号登録要求を受け付けると、当該要求信号に含まれていた通信端末１２０ａの識別情報及び位置情報を端末位置情報記憶手段１６０８の端末位置情報管理テーブルに記憶する。また、識別情報に基づき機器名及び所有部署の情報が記憶され、位置情報に基づき地図情報格納先アドレスが記憶される。
【０１０５】
Ｓ８１０：続いて、電話番号登録要求受付手段１６０２は、電話番号記憶手段１６０９が記憶する電話番号情報管理テーブルの中から、電話番号登録要求に含まれていた通信端末１２０ａの位置情報（緯度・経度）と同一又は一定の範囲内に収まる位置情報が存在するか否かを検索する。その検索の結果、電話番号情報管理テーブルの中に、電話番号登録要求に含まれていた通信端末１２０ａの位置情報と同一又は一定の範囲内に収まる位置情報が存在する場合、その位置情報に対応する電話番号の読み出し処理を実行する。
【０１０６】
Ｓ８１１：電話番号登録要求受付手段１６０２は、ステップＳ８０９において記憶された通信端末１２０ａの識別情報及び位置情報に対応付けて、ステップ８１０において読み出した電話番号を、端末位置情報管理テーブルに登録する。
【０１０７】
以上の動作により、通信端末１２０ａの位置に対応する電話番号が、情報管理サーバ１６０に登録された。電話会議システムに参加する任意の通信端末１２０ｎは、通信端末１２０ａと同様に、電話番号の登録処理を実行する。
【０１０８】
＜（Ｂ）電話番号取得処理＞
図１４は、本発明の実施の形態において電話会議システムのホストである通信端末１２０ａがゲストの通信端末１２０ｃの電話番号を取得し、電話会議システムに接続する動作を示すシーケンス図の一例である。
【０１０９】
Ｓ８３１：ホスト端末である通信端末１２０ａは、電話回線に接続する。ステップＳ８３１の終了後、物理層での接続が完了している状態である。
【０１１０】
Ｓ８３２：ゲスト端末である通信端末１２０ｃは、電話回線に接続する。ステップＳ８３２の終了後、物理層での接続が完了している状態である。
【０１１１】
Ｓ８３３：情報管理サーバ１６０の端末位置情報記憶手段１６０８が記憶する端末位置情報管理テーブルには、通信端末１２０ａ・１２０ｃの電話番号の登録が完了している。
【０１１２】
Ｓ８３４：ホスト端末の通信端末１２０ａにおいて、入力手段１２１５を介して電話会議システム用アプリを起動させる。アプリ起動後、図１５に示されるような接続先指定画面の表示の実行を選択する画面が表示される。「NO」を選択するとアプリは終了する。「ＹＥＳ」を選択すると、次のステップの処理が実行される。
【０１１３】
Ｓ８３５：接続候補位置情報取得要求手段１２０５は、メッセージタイプのフィールドが「００１１」と設定された接続候補位置情報取得要求信号を、無線通信手段１２１２を介し位置通知・情報転送装置１００に、送信する。当該信号に含まれる宛先アドレスは情報管理サーバ１６０である。
【０１１４】
Ｓ８３６：位置通知・データ転送機器１００のデータ転送手段１００２は、接続候補位置情報取得要求の宛先アドレスと、自機が保有するルーティングテーブルに基づき、ゲートウェイ装置１４０に転送する。
【０１１５】
Ｓ８３７：ゲートウェイ装置の通信変換手段１４００は、位置通知・データ転送機器１００から転送された無線ネットワーク１７０の通信方式・プロトコルのデータを、ネットワーク１８０に適合する形式に変換する。通信変換手段１４００は、変換したデータを、情報管理サーバ１６０に送信する。
【０１１６】
Ｓ８３８：情報管理サーバ１６０の接続候補位置情報取得要求受付手段１６０３は、接続候補位置情報取得要求を受け付けると、端末位置情報記憶手段１６０８に記憶される情報のうち電話番号が入力されている通信端末情報１２０の位置情報、地図情報、識別情報、機器名及び所有部署の情報を取得する。なお、端末位置情報記憶手段１６０８から取得する項目は、全ての項目に限らず一部の項目であってもよい。一部の項目のみの取得とすることで、ネットワークの負荷を軽減することができる。
【０１１７】
Ｓ８３９：接続候補位置情報取得要求応答手段１６０４は、ステップＳ８３８において取得された接続候補端末の位置情報、識別情報等が指定された接続候補位置情報取得要求応答信号を生成し、宛先アドレスを通信端末１２０ａとして、通信手段１６１０を介して送信する。
【０１１８】
Ｓ８４０：ゲートウェイ装置の通信変換手段１４００は、情報管理サーバ１６０から転送されたネットワーク１８０の通信方式・プロトコルのデータを、無線ネットワーク１７０に適合する形式に変換する。通信変換手段１４００は、変換したデータを、位置通知・データ転送機器１００に送信する。
【０１１９】
Ｓ８４１：位置通知・データ転送機器１００のデータ転送手段１００２は、接続候補位置情報取得要求応答の宛先アドレスと、自機が保有するルーティングテーブルに基づき、通信端末１２０ａに転送する。通信端末１２０ａの接続候補位置情報受付手段１２０６が、接続候補位置情報信号を受け付けると、接続端末指定画面生成手段１２０７に当該信号に基づく接続端末指定画面の生成を要求する。
【０１２０】
Ｓ８４２：接続端末指定画面生成手段１２０７は、ステップ８４１で受信した情報に基づき、上述した図９及び図１０に示される接続端末指定画面を生成し、表示手段１２１６に表示させる。図９には、通信端末１２０ａ・１２０ｃの位置する地図（フロアマップ）上に通信端末１２０ｃが表示されている。図１０には、通信端末１２０ｃの事業所（Ｂ）、棟（ｄ）、階（４）、機種名（ＵＣＳ  Ｓ７０００）、所有部署（総務２課）が表示されている。
【０１２１】
Ｓ８４３：接続端末指定手段１２１０は、入力手段１２１５であるマウス等を用いて、接続端末指定画面に表示されている接続先として通信端末１２０ｃを指定する。接続先端末の指定方法は、図９においては通信端末１２０ａを起点とし通信端末１２０ｃに対するドラッグ＆ドロップ操作、又は図１０においてはチェックボックスの選択により行われる。
【０１２２】
Ｓ８４４：接続先電話番号取得要求手段１２０８は、ステップＳ８４３において指定された接続先端末である通信端末１２０ｃの識別情報が含まれた宛先アドレスが情報管理サーバ１６０である接続先電話番号取得要求を、無線通信手段１２１２を介して送信する。接続先電話番号取得要求信号のメッセージタイプのフィールドには「０１００」が設定されている。
【０１２３】
Ｓ８４５：位置通知・データ転送機器１００のデータ転送手段１００２は、接続先電話番号取得要求の宛先アドレスと、自機が保有するルーティングテーブルに基づき、ゲートウェイ装置１４０に転送する。
【０１２４】
Ｓ８４６：ゲートウェイ装置の通信変換手段１４００は、位置通知・データ転送機器１００から転送された無線ネットワーク１７０の通信方式・プロトコルのデータを、ネットワーク１８０に適合する形式に変換する。通信変換手段１４００は、変換したデータを、情報管理サーバ１６０に送信する。
【０１２５】
Ｓ８４７：情報管理サーバ１６０の接続先電話番号取得要求受付手段１６０５は、接続先電話番号取得要求を受け付けると、当該要求に含まれていた接続先端末（通信端末１２０ｃ）の識別情報に基づき電話番号を取得する。ここで、通信端末１２０ｃの識別情報が「００２６７３ａｂｃｄｅｆ０３」とすると、図１１の位置情報記憶手段１６０８に記憶される情報の中から当該識別情報に対応する電話番号（０６−ｚｚｚｚ−ｚｚｚｚ）が読み出される。接続先電話番号取得要求受付手段１６０５は取得した接続先端末（通信端末１２０ｃ）の電話番号を含む接続先電話番号取得要求応答信号の生成を、接続先電話番号取得要求応答手段１６０６に要求する。
【０１２６】
Ｓ８４８：接続先電話番号取得要求応答手段１６０６は、ステップＳ８４８において取得された接続先端末の電話番号が指定された接続先電話番号取得要求応答信号を生成し、宛先アドレスを通信端末１２０ａとして、通信手段１６１０を介して送信する。
【０１２７】
Ｓ８４９：ゲートウェイ装置の通信変換手段１４００は、情報管理サーバ１６０から転送されたネットワーク１８０の通信方式・プロトコルのデータを、無線ネットワーク１７０に適合する形式に変換する。通信変換手段１４００は、変換したデータを、位置通知・データ転送機器１００に送信する。
【０１２８】
Ｓ８５０：位置通知・データ転送機器１００のデータ転送手段１００２は、接続先電話番号取得要求応答の宛先アドレスと、自機が保有するルーティングテーブルに基づき、通信端末１２０ａに転送する。通信端末１２０ａの接続先電話番号受付手段１２０９が、接続先端末である通信端末１２０ｃの電話番号を受け付けると、会議システム接続手段１２１１に、通信端末１２０ｃとの電話会議システムの接続処理の実行を要求する。
【０１２９】
Ｓ８５１：会議システム接続手段１２１１は、接続先端末の通信端末１２０ｃの電話番号に対して、音声・シグナリング通信手段１２１３にシグナリング信号の送信を要求する。音声・シグナリング通信手段１２１３は、通信端末１２０ｃの電話番号を用いてＰＢＸ１９１に発呼する。
【０１３０】
Ｓ８５２：ＰＢＸ１９１が通信端末１２０ｃに、１２０ａからの着呼信号を送信し、通信端末１２０ａと通信端末１２０ｃとの間の回線が確立される。その後、通信端末１２０ｃから通信端末１２０ａに応答信号が送信される。
【０１３１】
以上の処理手順によりホスト端末の通信端末１２０ａとゲスト端末の通信端末１２０ｃとは電話会議システムへの接続が完了し、電話会議システムを利用することができる。
【０１３２】
以下は、電話会議の終了時の処理手順となる。
【０１３３】
Ｓ８５３：ホスト端末の通信端末１２０ａとゲスト端末の通信端末１２０ｃとは電話会議システムに接続している。
【０１３４】
Ｓ８５４：電話会議が終了し、通信端末１２０ａの電話会議システムへの接続をオンフック（切断）する。
【０１３５】
Ｓ８５５：通信端末１２０ａに挿入されている電話ケーブルを抜去する。
【０１３６】
Ｓ８５６：電話番号登録要求手段１２０４が、通信端末１２０ａの電話回線を収容するインタフェース、例えばＲＪ−４５コネクタのインタフェースから、電話ケーブルが抜去されたことを検知すると、電話番号消去要求信号を生成する。電話番号消去要求は、情報管理サーバ１６０の端末位置情報記憶手段１６０８に記憶される端末位置情報管理テーブルの中から、ケーブルを抜去した通信端末１２０の電話番号を削除する要求である。これにより、電話ケーブルが抜去され、接続の可能性のない通信端末１２０の電話番号を速やかに端末位置情報記憶手段１６０８から削除することができる。この処理は一つの位置に対する電話番号は一意でなければならない理由による。なお、電話番号消去要求信号が生成される契機は、例えば電話会議システム用アプリ１２０３によるユーザからの入力の受付が契機であってもよい。電話番号消去要求信号には、通信端末１００ａの識別情報が含まれ、宛先アドレスには情報管理サーバ１６０のアドレス、メッセージタイプには「０１０１」が設定される。
【０１３７】
Ｓ８５７：位置通知・データ転送機器１００のデータ転送手段１００２は、電話番号消去要求の宛先アドレスと、自機が保有するルーティングテーブルに基づき、ゲートウェイ装置１４０に転送する。
【０１３８】
Ｓ８５８：ゲートウェイ装置の通信変換手段１４００は、位置通知・データ転送機器１００から転送された無線ネットワーク１７０の通信方式・プロトコルのデータを、ネットワーク１８０に適合する形式に変換する。通信変換手段１４００は、変換したデータを、情報管理サーバ１６０に送信する。
【０１３９】
Ｓ８５９：情報管理サーバ１６０の電話番号登録要求１６０２が電話番号消去要求を受け付けると、端末位置情報記憶手段１６０８に記憶されている通信端末１００ａに対応する電話番号が消去される。
【０１４０】
上述した処理により、遠隔会議接続システム１により、電話会議のホスト端末である通信端末１２０ａがゲスト端末の通信端末１２０ｃの電話番号を把握していない場合においても、電話番号を取得し、電話会議システムに接続することができる。また、ホスト端末（通信端末１２０ａ）において、電話会議接続アプリを利用することにより、容易に接続先の通信端末１２０を指定することができる。これらにより、電話会議システムを利用するユーザは、予め電話会議に参加するユーザの電話番号を把握していなくても、簡便に電話会議システムを利用することが可能になる。
[第一の変形例]
本発明の実施形態の第一の変形例では、図１のモジュラージャック９００は、位置通知・データ転送機器１００からの位置情報通知信号を受信し、情報管理サーバ１６０にモジュラージャック９００の位置情報を送信する。これにより、モジュラージャック９００の電話番号と位置情報とを記憶する情報管理サーバ１６０の電話番号情報管理テーブル（図１２）の位置情報（緯度・経度・事業所・階数・棟）を、自動的に更新することができる。但し、電話番号については、手動やＣＳＶ形式ファイル等の読み込みによる入力が必要である。
【０１４１】
図１６は、第一の変形例における遠隔会議接続システム１の構成の一例である。図１との相違点として、モジュラージャック９００ａ・９００ｂ・９００ｃには、それぞれアクティブタグ９０１ａ・９０１ｂ・９０１ｃ（それぞれ区別しない場合は「アクティブタグ９０１」という。）が付されている。アクティブタグ９０１は、能動的に電波を送信する機能、位置通知・データ転送機器１００からの位置情報通知信号を受信する機能及び受信した位置情報を送信する機能を有する。
【０１４２】
図１７は、第一の変形例におけるモジュラージャック９００に付されたアクティブタグ９０１の機能構成の一例を示す図である。第一の変形例のアクティブタグ１９１は、本発明の実施形態の通信端末１２０の機能構成例（図６）のうち、無線通信手段１２１２、位置情報受付手段１２０１、位置情報更新要求手段１２０２及び記憶手段１２１４を有する。各手段は、通信端末１２０と同様の処理を実行する。なお、位置通知・データ転送機器１００、ゲートウェイ装置１４０及び情報管理サーバ１６０の機能構成等は図６と同様であるため説明は省略する。
【０１４３】
上述したシステム構成及び機能構成により、情報管理サーバ１６０の電話番号情報管理テーブル（図１２）の位置情報（緯度・経度・事業所・階数・棟）を、自動的に更新することができる。したがって、モジュラージャック９００の位置情報を調査し、手入力するという手間を削減することができる。
【０１４４】
なお、モジュラージャック９００に付される装置は能動的に電波を送信する特徴を有するアクティブタグではなく、位置情報を送受信する機能を有する他の装置であればよい。
[第二の変形例]
本発明の実施形態の第二の変形例では、本発明の実施形態において情報管理サーバ１６０が保持していた図１２に示される電話番号情報管理テーブルを、情報管理サーバ１６０とは物理的に異なる別の装置（図１８で後述する電話番号情報管理サーバ１６１）が保持する。
【０１４５】
図１８は第二の変形例における遠隔会議接続システム１の構成の一例である。図１との相違点として、ネットワーク１８０には電話番号情報管理サーバ１６１が接続されている。
【０１４６】
第二の変形例における電話番号情報管理サーバ１６１のハードウェア構成は、図５に示される情報管理サーバ１６０と同様な構成であればよい。但し、電話番号情報管理サーバ１６１のＨＤＤ２６６には、図１２に示される電話番号情報管理テーブルが記憶される。一方、第二の変形例における情報管理サーバ１６０のＨＤＤ２６６には、図１２に示される電話番号情報管理テーブルが記憶されていない点を除き、本発明の実施形態と同じである。
【０１４７】
第二の変形例における電話番号情報管理サーバ１６１の機能構成は、図１２の電話番号情報管理テーブルを記憶する図６の電話番情報記憶手段１６０９を有している。一方、第二の変形例における情報管理サーバ１６０は図６の機能構成から電話番情報記憶手段１６０９を除いた機能構成となる。
【０１４８】
図１９は第二の変形例において通信端末１２０ａが自機の電話番号を、電話番号情報管理サーバ１６１を用いて情報管理サーバ１６０に登録する動作を示すシーケンス図の一例である。図１３と同一の処理には同一ステップ番号を付与しており、説明は省略する。図１３との相違点を説明する。
【０１４９】
Ｓ８１０ａ：情報管理サーバ１６０の電話番号登録要求受付手段１６０２は、電話番号情報管理サーバ１６１の電話番号記憶手段１６０９が記憶する電話番号情報管理テーブルの中から、電話番号登録要求に含まれていた通信端末１２０ａの位置情報（緯度・経度）と同一又は一定の範囲内に収まる位置情報が存在するか否かを検索する。電話番号情報管理サーバ１６１は、その検索の結果、電話番号情報管理テーブルの中に、電話番号登録要求に含まれていた通信端末１２０ａの位置情報と同一又は一定の範囲内に収まる位置情報が存在する場合、その位置情報に対応する電話番号の読み出し処理を実行する。
【０１５０】
Ｓ８１０ｂ：電話番号情報管理サーバ１６１の電話番号情報記憶手段１６０９は、情報管理サーバ１６１に、読み出した電話番号とそれに対応する位置情報を含めた電話番号検索要求応答を送信する。
【０１５１】
上述したように第二の変形例の構成により、電話番号情報管理テーブル（図1２）を記憶する電話番号情報管理サーバ１６１と端末位置情報管理テーブル（図１１）を記憶する情報管理サーバ１６０とを異なる場所に設置することができる。例えば、端末の位置情報の管理の範囲を特定の事業所に限定し、事業所毎に複数の情報管理サーバ１６０を設置する一方で、遠隔での接続が想定される電話会議等に用いられ、全国の電話番号を記憶する必要がある電話番号情報管理サーバ１６１を一拠点に設置する場合等である。これにより、ネットワークコストの削減（効率的なルーティングの実現）や各テーブル（図１１・１２）を分散することによる信頼性を向上させることができる。
[その他の変形例]
なお、本発明の実施の形態において、遠隔会議接続システム１を適用するシステムの一例として、電話番号を用いて接続する電話会議システム及びテレビ会議システムを挙げたが、適用可能なシステムは位置（緯度・経度・建物・棟・階等）と対応付けられるアドレス情報を利用して接続するシステムであればよい。例えば、筐体が大きく移動が困難である機器や用途として搬送する必要がなくある場所に固定的に設置されている機器にIPアドレスが付与されている場合等において、予めＩＰアドレスを把握していなくても、遠隔会議システム１を用いることにより、複数の機器間での接続が可能となる。また、例えば電話会議システムではなく、ＦＡＸ通信においても遠隔会議接続システム１を利用することができる。
【０１５２】
また、本発明の実施の形態において、通信端末１２０が電話会議システムに接続するためのＰＢＸ１９１を制御する機能を備えたが、通信端末１２０ではない他の装置、例えば情報管理サーバ１６０に備わっていてもよい。この場合は、電話会議システムへの接続を開始するシグナリング信号発信の発信処理が、情報管理サーバ１６０から各通信端末１２０に対して行われる。但し、情報管理サーバ１６０が公衆電話網１９０に接続されている必要がある。
【０１５３】
また、本発明の実施の形態において、電話会議システムに接続するためのネットワークとして公衆電話網１９０を介したが、例えばインターネット上でＳＩＰ（Session Initiation Protocol）やＨ．３２３による通信制御方式を用いてもよい。
【０１５４】
また、本発明の実施の形態において、通信端末１２０の位置情報等を情報管理サーバ１６０に送信するために無線ネットワーク１７０を利用したが、情報管理サーバ１６０に位置情報を伝達するネットワークとして、無線ＬＡＮや携帯電話事業者により提供されるセルラーネットワーク（３Ｇネットワーク、ＬＴＥネットワーク）等を用いてもよい。
【０１５５】
以上、本発明の実施例について詳述したが、本発明はかかる特定の実施形態に限定されるものではなく、特許請求の範囲に記載された本発明の要旨の範囲内において、種々の変形、変更が可能である。
【符号の説明】
【０１５６】
１        遠隔会議接続システム（通信システム）
１００    位置通知・データ転送機器
１２０    通信端末
１４０    ゲートウェイ装置
１６０    情報管理サーバ（情報管理装置）
１７０    無線ネットワーク
１８０    ネットワーク
１９０    公衆電話網
１２０１  位置情報受付手段
１２０２  位置情報更新要求手段
１２０３  電話会議システム用アプリ
１２０４  電話番号登録要求手段
１２０５  接続候補位置情報取得要求手段
１２０６  接続候補位置情報受付手段
１２０７  接続端末指定画面生成手段（画面生成手段）
１２０８  接続先電話番号取得要求手段（電話番号取得手段）
１２０９  接続先電話番号受付手段
１２１０  接続端末指定手段（接続手段）
１２１１  会議システム接続手段
１２１３  音声・シグナリング通信手段
１６０１  位置情報更新受付手段
１６０２  電話番号登録要求受付手段
１６０３  接続候補位置情報取得要求受付手段
１６０４  接続候補位置情報取得要求応答手段
１６０５  接続先電話番号取得要求受付手段
１６０６  接続先電話番号取得要求応答手段（電話番号送信手段）
１６０８  端末位置情報記憶手段
１６０９  電話番号情報記憶手段
【先行技術文献】
【特許文献】
【０１５７】
【特許文献１】国際公開第２００５／０８６３７５号
【図１】
2014060572.tif 000003
【図２】
2014060572.tif 000004
【図３】
2014060572.tif 000005
【図４】
2014060572.tif 000006
【図５】
2014060572.tif 000007
【図６】
2014060572.tif 000008
【図７】
2014060572.tif 000009
【図８】
2014060572.tif 000010
【図９】
2014060572.tif 000011
【図１０】
2014060572.tif 000012
【図１１】
2014060572.tif 000013
【図１２】
2014060572.tif 000014
【図１３】
2014060572.tif 000015
【図１４】
2014060572.tif 000016
【図１５】
2014060572.tif 000017
【図１６】
2014060572.tif 000018
【図１７】
2014060572.tif 000019
【図１８】
2014060572.tif 000020
【図１９】
2014060572.tif 000021